(57)【要約】  本発明は、少なくとも１つの地図情報に関する描画オブジェクトを外部から取得して複数の地図描画画面を表示し、地図描画画面における描画オブジェクト間の関係性の把握を容易にすることを可能とすることを目的とする。本発明による地図表示装置は、第１描画画面は第１描画オブジェクトを表示し、第２描画画面は第２描画オブジェクトを表示し、第１描画画面および第２描画画面は同じまたは異なる大きさであって、入力部（１）で受け付けたユーザの操作入力に応じて第１描画画面および第２描画画面の重なり具合を制御し、第１描画画面および第２描画画面の重なり部分では第１描画オブジェクトおおび第２描画オブジェクトの一方が他方をマスクして表示部（１）に出力する制御部（４）と、第１描画オブジェクトおよび第２描画オブジェクトの少なくとも一方を外部の情報源から入力する外部入力部（４１０）とを備える。
2013105257.tif 000002
【特許請求の範囲】
【請求項１】
第１描画画面および第２描画画面を含む複数の描画画面を、少なくとも部分的に重ね表示可能な地図表示装置において、
前記第１描画画面は、第１描画オブジェクトを表示し、
前記第２描画画面は、第２描画オブジェクトを表示し、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部（１）に出力する制御部（４）と、
前記第１描画オブジェクトおよび前記第２描画オブジェクトの少なくとも一方を外部の情報源から入力する外部入力部（４１０）と、
を備える、地図表示装置。
【請求項２】
前記外部の情報源は、所定の情報を提供する情報提供サーバ（６）であり、
前記外部入力部（４１０）は、前記情報提供サーバ（６）から提供された前記所定の情報に関する描画オブジェクトを前記第１描画オブジェクトおよび前記第２描画オブジェクトの少なくとも一方として入力することを特徴とする、請求項１に記載の地図表示装置。
【請求項３】
前記外部の情報源は、所定の情報を表示する機能を有する携帯情報通信端末（５）であり、
前記外部入力部（４１０）は、前記携帯情報通信端末（５）に表示される表示情報に関する描画オブジェクトを前記第１描画オブジェクトおよび前記第２描画オブジェクトの少なくとも一方として入力することを特徴とする、請求項１に記載の地図表示装置。
【請求項４】
前記第１描画オブジェクトと前記第２描画オブジェクトとが、所定の関連性を有するように対応付ける制御を行う表示対応制御部（４０９）をさらに備えることを特徴とする、請求項１に記載の地図表示装置。
【請求項５】
前記第１描画オブジェクトおよび前記第２描画オブジェクトの少なくとも一方は地図情報に関する描画オブジェクトであり、少なくとも他方は前記地図情報に関連する位置情報を有し、
前記表示対応制御部（４０９）は、前記地図情報に関する描画オブジェクトおよび前記位置情報に基づいて、前記第１描画オブジェクトと第２描画オブジェクトとの位置合わせを制御することを特徴とする、請求項４に記載の地図表示装置。
【請求項６】
前記外部の情報源は、地図情報に関する描画オブジェクトを有する地図情報サーバ（６）であり、
前記外部入力部（４１０）は、前記地図情報に関する描画オブジェクトを前記第１描画オブジェクトおよび第２描画オブジェクトの少なくとも一方として前記地図情報サーバ（６）から入力することを特徴とする、請求項５に記載の地図表示装置。
【請求項７】
前記外部の情報源は、地図に関連する情報を表示する地図関連情報表示機能を有する携帯情報通信端末（５）であり、
前記外部入力部（４１０）は、前記携帯情報通信端末（５）に表示される表示情報に関する描画オブジェクトを前記第１描画オブジェクトおよび第２描画オブジェクトの少なくとも一方として入力することを特徴とする、請求項５に記載の地図表示装置。
【請求項８】
前記外部入力部（４１０）は、複数の前記外部の情報源から情報に関する描画オブジェクトを得ることが可能なことを特徴とする、請求項１に記載の地図表示装置。
【請求項９】
前記外部入力部（４１０）は、複数の前記外部の情報源から情報に関する描画オブジェクトを得ることが可能なことを特徴とする、請求項４に記載の地図表示装置。
【請求項１０】
前記制御部（４）は、前記第１描画画面および前記第２描画画面の一方に対し他方をスライドさせることによって、前記第１描画画面および前記第２描画画面の重なり具合を連続的に変化させることを特徴とする、請求項１に記載の地図表示装置。
【請求項１１】
前記第２描画画面が前記第１描画画面より小さい場合、
前記第１描画画面の所定範囲において前記第２描画画面の全体が重なることを特徴とする、請求項１に記載の地図表示装置。
【請求項１２】
前記表示部（１）は表示面を有し、
前記第１描画画面の大きさは前記表示面の全体に対応し、前記第２描画画面の大きさは前記表示画面の全体または一部に対応することを特徴とする、請求項１に記載の地図表示装置。
【請求項１３】
第１描画画面および第２描画画面を含む複数の描画画面を、少なくとも部分的に重ねて表示する地図表示方法において、
前記第１描画画面は、第１描画オブジェクトを表示し、
前記第２描画画面は、第２描画オブジェクトを表示し、
前記第１描画画面および前記第２描画画面の重なり部分では、前記第１描画オブジェクトおよび前記第２描画オブジェクトの一方が他方をマスクし、
前記第１描画画面および前記第２描画画面は、同じまたは異なる大きさであって、
（ａ）ユーザの描画画面表示に関する操作入力を受け付けるステップと、
（ｂ）前記第１描画オブジェクトおよび前記第２描画オブジェクトの少なくとも一方を外部の情報源から入力するステップと、
（ｃ）前記複数の描画画面の描画画面表示を行うステップと、
（ｄ）前記ステップ（ｃ）に先立って、前記ステップ（ａ）で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクするステップと、
を備える、地図表示方法。
【発明の詳細な説明】
【技術分野】
【０００１】
本発明は、地図表示装置および地図表示方法に関し、特に、少なくとも１つの地図情報を外部から取得して複数の地図描画画面を表示面に表示する地図表示装置および地図表示方法に関するものである。
【背景技術】
【０００２】
複数の地図描画画面を表示面に表示する地図表示方法として、例えば表示面を２つに分割し、それぞれの表示領域において、例えば車両の現在位置を中心とする地図描画画面を表示するものがあった（特許文献１参照）。ここで地図描画画面とは、地図を表示する場合の、道路線、文字、地形、建物、アイコン、背景色（透明、または半透明であってもよい）、付属する情報等のオブジェクトである描画オブジェクトを描画した画面のことであり、表示面とは、それらの地図描画画面を実際に表示するディスプレイのことである。地図描画画面は、表示面における所定の表示領域において、表示されることになる。【０００３】
当該地図表示方法によれば、例えば、一方の表示領域において経路誘導に関する地図描画画面を表示し、他方の表示領域においては異なる縮尺で同様の経路誘導に関する地図描画画面を表示することにより、ユーザにとって有益な地図表示方法を実現することが可能であった。【０００４】
また、特許文献１に示す地図表示方法では、左右の表示領域の境界を可変とすることで、その利便性をさらに高めている。
【先行技術文献】
【特許文献】
【０００５】
【特許文献１】特開２００１−１７４２７１号公報
【発明の概要】
【発明が解決しようとする課題】
【０００６】
しかし、上記のような地図表示方法によって同時に表示された複数の地図描画画面では、それぞれの地図描画画面に表示された描画オブジェクト同士の関係性の把握が、必ずしも容易でないという問題があった。【０００７】
例えば、車両の現在位置を示す地図描画画面同士において、一方を高速道路の地図描画画面、他方を一般道路の地図描画画面とするとき、また、一方を平面表示の地図描画画面、他方を立体表示の地図描画画面とするときでも、両表示領域に表示された地図描画画面における描画オブジェクトがどのように対応しているかを把握するには、ユーザが両表示領域を交互に見比べ、目印となる建物等を頼りに判断する必要があった。【０００８】
本発明は、上記のような問題を解決するためになされたものであり、少なくとも１つの地図情報に関する描画オブジェクトを外部から取得して複数の地図描画画面を表示する地図表示装置およびその方法であって、地図描画画面における描画オブジェクト間の関係性の把握を容易にすることを可能とする地図表示装置およびその方法の提供を目的とする。
【課題を解決するための手段】
【０００９】
上記の問題を解決するために、本発明による地図表示装置は、第１描画画面および第２描画画面を含む複数の描画画面を、少なくとも部分的に重ね表示可能な地図表示装置において、第１描画画面は、第１描画オブジェクトを表示し、第２描画画面は、第２描画オブジェクトを表示し、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面および第２描画画面の重なり具合を制御し、第１描画画面および第２描画画面の重なり部分では、第１描画オブジェクトおおび第２描画オブジェクトの一方が他方をマスクして表示部（１）に出力する制御部（４）と、第１描画オブジェクトおよび第２描画オブジェクトの少なくとも一方を外部の情報源から入力する外部入力部（４１０）とを備える。【００１０】
また、本発明による地図表示方法は、第１描画画面および第２描画画面を含む複数の描画画面を、少なくとも部分的に重ねて表示する地図表示方法において、第１描画画面は、第１描画オブジェクトを表示し、第２描画画面は、第２描画オブジェクトを表示し、第１描画画面および第２描画画面は、同じまたは異なる大きさであって、（ａ）ユーザの描画画面表示に関する操作入力を受け付けるステップと、（ｂ）第１描画オブジェクトおよび第２描画オブジェクトの少なくとも一方を外部の情報源から入力するステップと、（ｃ）複数の描画画面の描画画面表示を行うステップと、（ｄ）ステップ（ｃ）に先立って、ステップ（ａ）で受け付けたユーザの操作入力に応じて、第１描画画面および第２画面の重なり具合を制御し、第１描画画面および第２描画画面の重なり部分では、第１描画オブジェクトおよび第２描画オブジェクトの一方が他方をマスクするステップとを備える。
【発明の効果】
【００１１】
本発明によれば、第１描画画面および第２描画画面を含む複数の描画画面を、少なくとも部分的に重ね表示可能な地図表示装置において、第１描画画面は、第１描画オブジェクトを表示し、第２描画画面は、第２描画オブジェクトを表示し、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面および第２描画画面の重なり具合を制御し、第１描画画面および第２描画画面の重なり部分では、第１描画オブジェクトおおび第２描画オブジェクトの一方が他方をマスクして表示部（１）に出力する制御部（４）と、第１描画オブジェクトおよび第２描画オブジェクトの少なくとも一方を外部の情報源から入力する外部入力部（４１０）とを備えるため、少なくとも１つの地図情報に関する描画オブジェクトを外部から取得し、複数の地図描画画面を表示する場合において、地図描画画面における描画オブジェクト間の関係性の把握を容易にすることを可能とする。【００１２】
また、本発明によれば、第１描画画面および第２描画画面を含む複数の描画画面を、少なくとも部分的に重ねて表示する地図表示方法において、第１描画画面は、第１描画オブジェクトを表示し、第２描画画面は、第２描画オブジェクトを表示し、第１描画画面および第２描画画面は、同じまたは異なる大きさであって、（ａ）ユーザの描画画面表示に関する操作入力を受け付けるステップと、（ｂ）第１描画オブジェクトおよび第２描画オブジェクトの少なくとも一方を外部の情報源から入力するステップと、（ｃ）複数の描画画面の描画画面表示を行うステップと、（ｄ）ステップ（ｃ）に先立って、ステップ（ａ）で受け付けたユーザの操作入力に応じて、第１描画画面および第２画面の重なり具合を制御し、第１描画画面および第２描画画面の重なり部分では、第１描画オブジェクトおよび第２描画オブジェクトの一方が他方をマスクするステップとを備えるため、少なくとも１つの地図情報に関する描画オブジェクトを外部から取得し、複数の地図描画画面を表示する場合において、地図描画画面における描画オブジェクト間の関係性の把握を容易にすることを可能とする。【００１３】
この発明の目的、特徴、局面、および利点は、以下の詳細な説明と添付図面とによって、より明白となる。
【図面の簡単な説明】
【００１４】
【図１】地図表示装置の概念的な全体構成を示す図である。
【図２】地図表示装置の制御部の概念的な構成を示す図である。
【図３】地図表示装置の動作を説明するフローチャートである。
【図４】地図表示装置の動作を説明するフローチャートである。
【図５】地図表示装置の動作を説明する図である。
【図６】地図表示装置の動作を説明する図である。
【図７】地図表示装置の動作を説明する図である。
【図８】地図表示装置の動作を説明するフローチャートである。
【図９】地図表示装置の動作を説明する図である。
【図１０】地図表示装置の動作を説明する図である。
【図１１】地図表示装置の動作を説明するフローチャートである。
【図１２】地図表示装置の動作を説明する図である。
【図１３】地図表示装置の動作を説明する図である。
【図１４】地図表示装置の動作を説明するフローチャートである。
【図１５】地図表示装置の動作を説明する図である。
【図１６】地図表示装置の動作を説明する図である。
【図１７】地図表示装置の動作を説明するフローチャートである。
【図１８】地図表示装置の制御部の概念的な構成を示す図である。
【図１９】地図表示装置の動作の具体例を示す図である。
【図２０】地図表示装置の動作の具体例を示す図である。
【図２１】地図表示装置の制御部の概念的な構成を示す図である。
【図２２】地図表示装置の動作の具体例を示す図である。
【発明を実施するための形態】
【００１５】
＜実施の形態１＞
＜構成＞
図１を参照し、実施の形態１にかかる地図表示装置の概念的な全体構成を説明する。なお、地図表示装置についてはその用途を特に限定しないが、以下の実施の形態では移動体としての車両に搭載されたカーナビゲーション装置を想定し、説明する。
【００１６】
図１に示すように地図表示装置は、ユーザの意図に沿う入力情報を受け取り、情報を表示する入力兼表示部１と、入力兼表示部１において受け取った入力情報に基づいて、入力兼表示部１における地図描画画面の表示動作を制御する制御部４と、制御部４における動作制御の際に、参照される地図情報に関する描画オブジェクト等が格納された、第１情報格納部２および第２情報格納部３とを備える。
【００１７】
描画オブジェクトは、描画画面内に表示される、道路線、文字、地形、建物、アイコン、背景色（透明、または半透明であってもよい）、付属する情報等のオブジェクトである。描画オブジェクトに含まれる背景色（背景オブジェクト）としては、一様に色が塗られたものに限らず、グラデーションが施されたものや、描画画面内を部分的に塗るものであってもよい。
【００１８】
入力兼表示部１は、例えばタッチパネル（タッチパネル付き表示装置）によって実現され、ユーザの表示面への接触（タッチ）を受け、表示面上におけるタッチ位置および動作等からユーザの意図を解析する。ユーザの意図として想定されるものには、表示されている地図に対する操作や、経路探索指示、内蔵されるオーディオ機器等に対する操作等がある。地図に対する操作とは、例えば縮尺の変更や、表示する地図上の位置の変更（スクロール）、現在位置周辺の情報検索、当該情報の比較等である。
【００１９】
第１情報格納部２および第２情報格納部３は、地図情報に関する描画オブジェクト等を格納する。具体的には、地形等を示す地図データ、当該地図上の位置に対応付けられた道路データ、建物データ（図形、形状）、背景色データ等を格納している。ここで建物データとは、建物自体の立体形状や、種別、名称等を示すデータである。なお、第１情報格納部および第２情報格納部３に格納される情報は描画オブジェクトに限られるものではなく、入力兼表示部１に表示するための様々な情報を格納することができる。
【００２０】
第１情報格納部２および第２情報格納部３は、具体的には、ハードディスクドライブやメモリーカード、ＤＶＤやブルーレイディスク等で実現される。また、第２情報格納部３は外部の情報源であり、上記の地図情報に関する描画オブジェクト等を含む様々な情報を提供する情報提供サーバとして機能している。
【００２１】
制御部４は、地図表示装置に備えられる各機能部を制御し、入力兼表示部１に地図描画画面を表示させる。図１に示すように制御部４は、ユーザからの入力情報を解析することによって、地図描画画面の作成に必要となる、描画オブジェクトに関する抽出条件を形成する。例えば、制御部４が入力情報を解析して、ユーザの意図が「周辺の高速道路の情報の検索」であった場合に、現在位置周辺の一般道路の描画オブジェクトと、現在位置周辺の高速道路の描画オブジェクトとを抽出する条件を形成することができる。
【００２２】
さらに制御部４は、当該抽出条件に基づいて第１情報格納部２および第２情報格納部３から描画オブジェクトをそれぞれ抽出し、入力兼表示部１に所望の態様で表示させる。制御部４は、具体的にはコンピュータ（ＣＰＵ）とそのプログラムで実現されるものである。
【００２３】
図２は、図１に示す地図表示装置の構成において、特に制御部４の概念的構成を詳細に示したものである。
【００２４】
入力兼表示部１から入力された入力情報を解析する入力解析部４０１と、入力解析部４０１における解析結果に基づいて、第１情報描画部４０３および第２情報描画部４０５、合成描画部４０７を制御し、入力兼表示部１に地図描画画面を表示させる全体制御部４０２と、第１情報格納部２において格納された描画オブジェクトである第１描画オブジェクトを抽出し、第１描画画面保持部４０４に、当該第１描画オブジェクトによる地図描画画面である第１描画画面を描画する第１情報描画部４０３と、第２情報格納部３において格納された描画オブジェクトである第２描画オブジェクトを抽出し、第２描画画面保持部４０６に、当該第２描画オブジェクトによる地図描画画面である第２描画画面を描画する第２情報描画部４０５と、第１描画画面を保持する第１描画画面保持部４０４と、第２描画画面を保持する第２描画画面保持部４０６と、第１描画画面と第２描画画面とを合成した合成描画画面を、合成描画画面保持部４０８に描画する合成描画部４０７と、合成描画部４０７で作成した合成描画画面を保持する合成描画画面保持部４０８と、第１描画オブジェクトと第２描画オブジェクトとが所定の関連性を有するように対応付けを行う表示対応制御部４０９と、外部の情報源である第２情報格納部３から第２描画オブジェクトを入力する外部情報アクセス部４１０（外部入力部）を備える。合成描画画面保持部４０８に保持された合成描画画面は、入力兼表示部１において表示される。
【００２５】
入力解析部４０１は、ユーザの意図による入力情報を解析する。すなわち、描画画面表示内容とユーザが表示面にタッチした位置や動作等の条件を解析し、ユーザの意図に沿う操作（機器操作等）を識別する。ここで、ユーザのタッチパネル操作には、従来からある単なるアイコンをタッチする単純タッチ操作（通常タッチ操作）と、動きのある「ジェスチャー操作」すなわち、後述の「引きずり操作」や「飛ばし操作」等がある。
【００２６】
全体制御部４０２では、当該解析結果に基づいて必要となる描画オブジェクトを特定し、第１情報描画部４０３に、第１情報格納部２から第１描画オブジェクトを抽出させ、第２情報描画部４０５に、第２情報格納部３から第２描画オブジェクトを抽出させる。
【００２７】
第１情報描画部４０３は、抽出した第１描画オブジェクトから第１描画画面を形成し、第１描画画面保持部４０４（メモリ部）に描画する。当該描画は、抽出された第１描画オブジェクトにおける、地図情報としての、地図データや道路データ、建物データ等を組み合わせて実現される。
【００２８】
第２情報描画部４０５は、抽出した第２描画オブジェクトから第２描画画面を形成し、第２描画画面保持部４０６（メモリ部）に描画する。当該描画は、抽出された第２描画オブジェクトにおける、地図情報としての、地図データや道路データ、建物データ等を組み合わせて実現される。
【００２９】
第１情報描画部４０３および第２情報描画部４０５では、例えば、車両の現在位置データ、経路探索動作によって得られた車両の目的地までの経路データ等の、装置内で生成された情報についても、それぞれで形成した地図描画画面（第１描画画面、第２描画画面）に付加して、対応する描画画面保持部に描画することができる。
【００３０】
さらに全体制御部４０２では、第１描画画面保持部４０４に保持された第１描画画面と第２描画画面保持部４０６に保持された第２描画画面とを合成描画部４０７に合成させ、合成描画画面保持部４０８（メモリ部）に描画させる。合成描画画面は、合成描画画面保持部４０８（メモリ部）において保持された後、入力兼表示部１において表示される。
【００３１】
合成描画部４０７は、第１描画画面と第２描画画面とが、それぞれの描画内容を保持したまま、全部あるいは部分的に重なって表示されるように合成し、合成描画画面とする。第１描画画面と第２描画画面とが重なって表示されることで、そのうち下の描画画面の描画オブジェクトが、上の描画画面の描画オブジェクトにマスクされる（上の描画画面の描画オブジェクトの表示によって、下の描画画面の描画オブジェクトが非表示となる）ことになる。
【００３２】
重なって表示される部分は、通常は上に重なっている地図描画画面の描画オブジェクトが見える状態となっているが、重なり具合を制御することにより、下に表示されている地図描画画面の描画オブジェクトを見ることができる。なお、ここでいう「上下」とは、表示面の法線方向における上下であり、より手前側を「上」とするものであるが、実際には描画画面のデータを概念的に重ねているものである。
【００３３】
合成される第１描画画面および第２描画画面はそれぞれ、あらかじめ設定された第１注目点、第２注目点を有することができる。
【００３４】
ここで第１注目点および第２注目点とは、ユーザが描画画面上で特に注目する点を指し、ユーザが第１描画画面と第２描画画面の双方を参照する際に比較対象とする点として主観的に定義される。例えば、車両の周辺地図における車両の現在位置や、目的地周辺地図における目的地の位置など、描画画面の作成目的となる点が該当し得る。
【００３５】
合成される地図描画画面それぞれに表示される描画オブジェクト間には、所定の関連性を有することができる。所定の関連性としては、車両の地図上の位置が一致または近傍であることによる関連、車両の現在位置と目的地との間等の移動経路上の関連、同車両の現在の走行路と過去の走行履歴といった時間的関連等がある。
【００３６】
地図描画画面を重ねる順序は、ユーザの意図に沿うように、例えば、描画オブジェクトの組み合わせごとに決定することができる。また、重ねる順序の変更も随時可能である。このとき、実際の空間配置に対応した上下関係（高架道路地図と一般道路地図との関係や、地上地図と地中地図との関係）で表示することで、把握をより容易にすることもできる。特定の組み合わせには、特定の上下関係を定義してもよい。
【００３７】
表示対応制御部４０９は、合成描画部４０７で作成された合成描画画面を入力兼表示部１に表示する際において、第１情報描画部４０３が第１描画画面保持部４０４に描画した第１描画画面の第１描画オブジェクトと、第２情報描画部４０５が第２描画画面保持部４０６に描画した第２描画画面の第２描画オブジェクトとが所定の関連性を有して対応付けられるよう制御する。表示対応制御部４０９の動作の詳細については後述する。
【００３８】
外部情報アクセス部４１０は、外部の情報源である第２情報格納部３から地図情報に関する描画オブジェクトを含む様々な情報を入力する。第２情報描画部４０５は、外部情報アクセス部４１０が入力した情報に関する描画オブジェクトと第２描画オブジェクトとして第２描画画面保持部４０６に描画する。
【００３９】
＜動作＞
次に、本実施の形態１にかかる地図表示装置の動作の概要について説明する。
【００４０】
本発明にかかる地図表示装置は、上に重ねられる地図描画画面の表示位置を所定の操作で更新し、上の地図描画画面の描画オブジェクトと、下の地図描画画面の描画オブジェクトとを比較することで、複数の地図描画画面における描画オブジェクトの関係性を容易に把握させるものである。動作に際しては、制御部４の特に全体制御部４０２において各機能部の制御が行われる。
【００４１】
以下の説明では、上に重ねられる地図描画画面の表示位置を更新する所定の操作の具体的方法として、スライド方法を用いる。スライド方法とは、以下に示す、上に重ねられる描画全体が連続的に移動する、すなわち、上に重ねられる描画画面の描画オブジェクトがスライドに連動してスライド方向に移動する第１の方法、または、上に重ねられる描画画面の描画オブジェクトの表示を部分的に切り替え、上に重ねられる描画画面の表示領域を連続的に変動（増やすまたは減らす）させていく、すなわち、上に重ねられる描画画面の描画オブジェクトの表示位置は変化させずに、下の描画画面の描画オブジェクトと重なる領域だけを変化させる第２の方法である。なお、上に重ねられる描画画面の表示位置がどのように更新されるかは、ユーザの表示面に対する操作態様や、地図の組み合わせに対してあらかじめなされた設定等によって変更することができる。
【００４２】
具体的な動作について、図３を参照しつつ、説明する。
【００４３】
まずステップＳＴ１０において、地図表示装置の電源を入れ、入力兼表示部１において初期画面を表示させる。初期画面は通常表示モード、すなわち、通常タッチ操作を受け付けるモードとすることができる。
【００４４】
次にステップＳＴ１１において、入力兼表示部１において初期画面に所定の操作を行い、スライド表示モードに遷移させる。ここでスライド表示モードとは、上記のスライド方法を用いて、上に重ねられる地図描画画面の表示位置を更新できるモードのことである。
【００４５】
当該遷移（スライド表示モードへの遷移）は、初期画面における、例えばタッチ操作、ボタン操作、アイコン操作、ジェスチャー操作、音声認識等によって行うことができる。
【００４６】
スライド表示モードに遷移しているか否かを確認する場合には、全体制御部４０２に格納された、モードの種類を記憶するパラメータを参照することにより行うことができる。例えば、パラメータの値が所定の閾値より大きいまたは小さいことをもって、スライド表示モードであるか否かを判断できる。パラメータの値は、ユーザからの入力に応じて変更されるものであってもよいし、あらかじめ設定した条件（車両状態や表示面における表示状態を含む）で自動的に変更されるものであってもよい。また入力兼表示部１において、スライド表示モードであるか否かを示すアイコン等が表示されるように設定しておくと、容易にモードの確認ができ便利である。
【００４７】
スライド表示モードに遷移したら、ステップＳＴ１２において、スライド距離Ｘ０を０に設定する。
【００４８】
次にステップＳＴ１３において、第１描画画面および第２描画画面を作成する。当該作成は、上記のようにユーザの入力情報に従って、第１情報描画部４０３および第２情報描画部４０５において行う。作成した第１描画画面は第１描画画面保持部４０４に、第２描画画面は第２描画画面保持部４０６に、それぞれ描画され保持される。
【００４９】
次にステップＳＴ１４において、上に重ねられる地図描画画面の表示位置を更新する所定の操作（スライド操作）が行われたか否かを検出する。当該検出は、入力兼表示部１におけるジェスチャー操作等を、入力解析部４０１において解析することで行う。スライド操作を検出した場合にはステップＳＴ１５へ、スライド操作を検出しない場合にはステップＳＴ１６へそれぞれ進む。
【００５０】
次にステップＳＴ１５において、スライド操作に基づいてスライド距離Ｘ０を更新する。
【００５１】
次にステップＳＴ１６において、第１描画画面および第２描画画面において表示された描画オブジェクトを更新する。当該更新は、車両の移動等によって時々刻々変化する、描画画面内に表示される車両周辺の範囲や、描画オブジェクトとして表示される地図情報等（道路データ、建物データ、走行履歴を示すデータ等を含む）を更新するものである。
【００５２】
次にステップＳＴ１７において、スライド距離Ｘ０に従って、上に重ねられる地図描画画面の表示位置を決定し、第１描画画面と第２描画画面とから合成描画画面を作成する。そして、作成した合成描画画面を入力兼表示部１に描画、すなわち表示する。詳細については後述する。
【００５３】
次にステップＳＴ１８において、スライド表示モードを終了する所定の操作を検出する。当該操作が検出された場合にはステップＳＴ１９へ進み、当該操作が検出されない場合にはステップＳＴ１４へ戻る。スライド表示モードの終了は、例えばタッチ操作、ボタン操作、アイコン操作、ジェスチャー操作、音声認識等によって行うことができる。
【００５４】
次にステップＳＴ１９において、通常表示モードに遷移し、ステップＳＴ１１に戻る。
【００５５】
次に、ステップＳＴ１７の詳細について、図４〜７を参照しつつ説明する。当該ステップでは合成描画画面の作成が行われるが、上に重ねた地図描画画面のスライド方法として、上に重ねられた地図描画画面全体を連続的に移動する、すなわち、上に重ねられる地図描画画面の描画オブジェクトがスライドに連動してスライド方向に移動する第１の方法（以下、ボードスライド）を用いて合成描画画面の作成を行う場合を説明する。特に、ボードスライドによるスライドアウト、すなわち、地図描画画面同士が全て重なった状態（全重ね状態）から、上に重ねた地図描画画面が移動し、表示面外へ出ていく方法を用いる場合を説明する。なお以下では、上に重ねる地図描画画面を第２描画画面とするが、逆であってもよい。
【００５６】
まずステップＳＴ４１１において、第１描画画面保持部４０４に保持された第１描画画面を合成描画画面保持部４０８に描画する。
【００５７】
次にステップＳＴ４１２において、スライド操作によって更新したスライド距離Ｘ０に従って、第２描画画面の第１描画画面への重なり位置を決定する。図５および図６に、描画画面に表示される描画オブジェクトの表示位置がそれぞれ異なる場合の、描画画面の合成方法を模式的に示す。
【００５８】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面および第２描画画面において車両の周辺地図が示されている場合には、それぞれの描画画面における車両の現在位置が一致するような位置にすることが望ましい（この場合には、第１注目点と第２注目点との地図上の位置も共通している）。
【００５９】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００６０】
例えば、ユーザが表示面にタッチし移動した距離（図５および図６におけるスライド距離Ｘ０）をオフセットとして、第２描画画面の画面端が位置する重なり開始位置に設定する。当該操作のように、所定のタッチ操作（例えば、表示面上のある方向へ所定の速度以下で指を動かす）に追随して上に重ねられる描画画面が移動する操作を引きずり操作といい、当該操作を行うモードを引きずりモードと呼ぶ。
【００６１】
また例えば、ユーザが表示面にタッチし移動した距離（図５および図６におけるスライド距離Ｘ０）をオフセットとして、第２描画画面の画面端が位置する重なり開始位置に設定し、ユーザが表示面にタッチする操作を終了すると同時に、タッチし移動する前の、元の重なり位置に戻す。当該操作のように、所定のタッチ操作（例えば、表示面上のある方向へ所定の速度以下で指を動かす）に追随して上に重ねられる描画画面を移動させ、タッチ操作の終了と同時に元の重なり位置まで戻す操作をシャッター操作といい、当該操作を行うモードをシャッターモードと呼ぶ。シャッター操作と引きずり操作とは、例えば、表示面にタッチする指の本数で区別することもできる。
【００６２】
また例えば、ユーザが表示面にタッチしトランプを飛ばすような動作（はじくような動作）をした場合には、時間とともに増加する量（図５および図６におけるスライド距離Ｘ０が時間とともに増加する）をオフセットとして、第２描画画面の重なり開始位置を設定する。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【００６３】
飛ばしモードでは、例えば次の条件や組み合わせで飛ばし操作を判断する。（ａ）タッチパネルにタッチした後、表示面上のある方向へ所定の速度以上で指をすばやく動かした場合、（ｂ）タッチパネルを押した後、表示面上のある方向へ予め定められた所定の速度以上で、押圧を下げて指をすばやく動かす場合、（ｃ）タッチパネルにタッチした後、表示面上のある方向へ予め定められた所定の速度以上で指をすばやく動かし、指をタッチパネルからやや離す場合である（ただし、この場合には、３次元位置を認識するタッチパルが必要である）。
【００６４】
なお、（ａ）〜（ｃ）における所定の速度として設定される速度は、それぞれの条件ごとに異なる速度であってもよい。
【００６５】
次にステップＳＴ４１３において、重なり位置、具体的には重なり開始位置に従って、第２描画画面を重ねて描画（データを上書き）する。例えば、表示面の右側へスライドアウトする場合には、第２描画画面の左端が重なり開始位置に一致するように重ねて描画する。
【００６６】
第１描画画面に重なりきらない部分（図５および図６におけるＰ２）は、表示面には表示しない。この状態においては、第２描画画面が重ならないスライド距離Ｘ０の幅の第１描画画面の第１描画オブジェクトと、第２描画画面左端から幅Ｄ１（第１描画画面と重なる幅）分の、第２描画画面の第２描画オブジェクト（図５および図６におけるＰ１）とが、表示面に表示されることになる。ここで図５および図６における幅Ｄ１は、合成描画画面において表示される第２描画画面の幅に相当する長さである。
【００６７】
上記のような合成描画画面の作成を順次行うことで、図７に示す動作（ボードスライドによるスライドアウト）が可能となる。図７では、描画オブジェクトＡ、描画オブジェクトＢ、描画オブジェクトＣ、第１背景描画オブジェクトを描画した第１描画画面上に、描画オブジェクトａ、描画オブジェクトｂ、描画オブジェクトｃ、第２背景描画オブジェクトを描画した第２描画画面を重ねている。仮に、第１描画画面における第１注目点を描画オブジェクトＡ、第２描画画面における第２注目点を描画オブジェクトａとする。第１背景描画オブジェクトおよび第２背景描画オブジェクトのそれぞれは、例えば第１描画画面および第２描画画面のサイズと同一の大きさでクリーム色に塗られた長方形オブジェクトである。第２描画画面には、第２背景描画オブジェクトの上に、描画オブジェクトａ、描画オブジェクトｂ、描画オブジェクトｃが描画されている。
【００６８】
図７において、（１ａ）（２ａ）（３ａ）は、下側の第１描画画面と上側の第２描画画面とを、側面方向から見た模式図であり、（１ｂ）（２ｂ）（３ｂ）は、第１描画画面と第２描画画面とを上面方向から見た模式図である。
【００６９】
ユーザの指で入力兼表示部１にタッチし、図における右方向に移動させていく（引きずり操作）。そうすると、上側の第２描画画面の重なり開始位置が順次更新され（１ａ→２ａ→３ａ、もしくは、１ｂ→２ｂ→３ｂ）、第２描画画面全体がボードに乗ってスライドしたように表示される（ボードスライド）。
【００７０】
すなわち上記のスライド動作をさせた場合、図７における描画オブジェクトａ、描画オブジェクトｂ、描画オブジェクトｃが、第２背景描画オブジェクトとともにボードに乗っているように右側へ移動していく。
【００７１】
（１ａ）および（１ｂ）の状態では、第１描画画面と第２描画画面とが完全に重なり、描画オブジェクトＡ、描画オブジェクトＢ、描画オブジェクトＣが第２背景描画オブジェクトにマスクされている。なお、第２描画画面が第１描画画面に対して小さい画面であるときは、第２描画画面の大きさ分の第１描画画面上の領域に、第２描画画面が重なっていればよい。
【００７２】
（２ａ）および（２ｂ）の状態では、描画オブジェクトａおよび描画オブジェクトｂは表示面に表示されているが、一番右側の描画オブジェクトｃが入力兼表示部１の表示面から外れ、表示されなくなる。一方で描画オブジェクトＡは表示されているが、描画オブジェクトＢは第２背景描画オブジェクトにマスクされ非表示となり、描画オブジェクトＣは第２背景描画オブジェクトにマスクされ非表示となる。注目点が設定されている場合には、第１注目点である描画オブジェクトＡと、第２注目点である描画オブジェクトａとが双方近くに表示されることで、両描画オブジェクトの関係性の把握が容易となる（図６も参照）。またこのとき、上側の第２描画画面と下側の第１描画画面との相対位置関係が随時変化している。
【００７３】
（３ａ）および（３ｂ）の状態では、上側の第２描画画面がさらに右へ移動し、描画オブジェクトｂも入力兼表示部１の表示面から外れ、表示されなくなる。一方で描画オブジェクトＡおよび描画オブジェクトＢは表示されているが、描画オブジェクトＣは第２背景描画オブジェクトにマスクされ非表示となる。またこのとき、上側の第２描画画面と下側の第１描画画面との相対位置関係が随時変化している。
【００７４】
次に図８〜１０を参照して、ボードスライドによるスライドイン、すなわち、地図描画画面が重なっていない状態（全ずれ状態）から、上に重なる地図描画画面が表示面外から移動してきて重なり、地図描画画面同士が重なった状態（全重ね状態）となっていく方法を用いて合成描画画面の作成を行う場合を説明する。
【００７５】
まずステップＳＴ４３１において、第１描画画面保持部４０４に保持された第１描画画面を合成描画画面保持部４０８に描画する。
【００７６】
次にステップＳＴ４３２において、スライド操作によって更新したスライド距離Ｘ０に従って、第２描画画面の第１描画画面への重なり位置を決定する。図９および図１０に、描画画面に表示される描画オブジェクトの表示位置がそれぞれ異なる場合の、描画画面の合成方法を模式的に示す。
【００７７】
スライド距離Ｘ０が０である場合には、例えば、第２描画画面が完全に表示面外となるような位置にしておく。
【００７８】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００７９】
注目点が設定されている場合には、スライド距離Ｘ０の更新によって、第１描画画面における第１注目点と第２描画画面における第２注目点とが近づいていくように、第２描画画面の第１描画画面への重なり位置を決定されることが望ましい。
【００８０】
次にステップＳＴ４３３において、重なり位置、具体的には重なり開始位置に従って、第２描画画面を重ねて描画する。例えば、表示面の左側からスライドインする場合には、第２描画画面の右端が重なり開始位置に一致するように重ねて描画する。
【００８１】
第１描画画面に重なりきらない部分（図９および図１０におけるＰ１）は、表示面には表示しない。この状態においては、第２描画画面が重ならない幅Ｄ１の第１描画画面の第１描画オブジェクトと、第２描画画面右端からスライド距離Ｘ０分の、第２描画画面の第２描画オブジェクト（図９および図１０におけるＰ２）とが、表示面に表示されることになる。
【００８２】
次に図１１〜１３を参照して、図８〜１０における場合とは逆側からの、ボードスライドによるスライドインについて説明する。
【００８３】
まずステップＳＴ４４１において、第１描画画面保持部４０４に保持された第１描画画面を合成描画画面保持部４０８に描画する。
【００８４】
次にステップＳＴ４４２において、スライド操作によって更新したスライド距離Ｘ０に従って、第２描画画面の第１描画画面への重なり位置を決定する。図１２および図１３に、描画画面に表示される描画オブジェクトの表示位置がそれぞれ異なる場合の、描画画面の合成方法を模式的に示す。
【００８５】
スライド距離Ｘ０が０である場合には、例えば、第２描画画面が完全に表示面外となるような位置にしておく。ただし、図９および図１０における場合とは逆側（右側）の表示面外となっている。
【００８６】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００８７】
次にステップＳＴ４４３において、重なり位置、具体的には重なり開始位置に従って、第２描画画面を重ねて描画する。例えば、表示面の右側からスライドインする場合には、第２描画画面の左端が重なり開始位置に一致するように重ねて描画する。
【００８８】
第１描画画面に重なりきらない部分（図１２および図１３におけるＰ２）は、表示面には表示しない。この状態においては、第２描画画面が重ならない幅Ｄ１の第１描画画面の第１描画オブジェクトと、第２描画画面左端からスライド距離Ｘ０分の、第２描画画面の第２描画オブジェクト（図１２および図１３におけるＰ１）とが、表示面に表示されることになる。図９および図１０の場合とは、左右の並び関係が入れ替わって表示されている。
【００８９】
以上に示したスライド方法は、上に重ねる地図描画画面が移動し、その移動に合わせて下の地図描画画面が見える範囲が変化するものである。スライドの方法は上記の場合に限られず、スライドの方向、スライドする際の上の地図描画画面の動き等、様々なバリエーションが考えられる。
【００９０】
さらに、他のスライド方法の場合におけるステップＳＴ１７の詳細について、図１４〜１６を参照しつつ説明する。当該ステップでは合成描画画面の作成が行われるが、上に重ねた地図描画画面のスライド方法として、上に重ねられる地図描画画面の描画オブジェクトの表示を部分的に表示を切り替え、上に重ねられる地図描画画面の表示領域を連続的に変動（増やすまたは減らす）させていく、すなわち、上に重ねられる地図描画画面の描画オブジェクトの表示位置は変化させずに、下の地図描画画面の描画オブジェクトと重なる領域だけを変化させる第２の方法（以下、カーテンスライド）を用いて、合成描画画面の作成を行う場合を説明する。特に、カーテンスライドによるスライドアウト、すなわち、地図描画画面同士が重なった状態（全重ね状態）から、上に重ねた地図描画画面がその位置を維持しながら連続的に除去され、下にある地図描画画面が表示される表示領域となっていく方法を用いる場合を説明する。なお以下では、上に重ねる地図描画画面を第２描画画面とするが、逆であってもよい。
【００９１】
まずステップＳＴ４２１において、第１描画画面保持部４０４に保持された第１描画画面を合成描画画面保持部４０８に描画する。
【００９２】
次にステップＳＴ４２２において、スライド操作によって更新したスライド距離Ｘ０に従って、第２描画画面の第１描画画面への重なり位置を決定する。
【００９３】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面および第２描画画面において車両の周辺地図が示されている場合には、それぞれの描画画面における車両の現在位置が一致するような位置にすることが望ましい。
【００９４】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００９５】
例えば、ユーザが表示面にタッチし移動した距離（図１５におけるスライド距離Ｘ０）をオフセットとして、第２描画画面の除去されていく画面端が位置する重なり開始位置に設定する。当該操作のように、所定のタッチ操作（例えば、表示面上のある方向へ所定の速度以下で指を動かす）に追随して上に重ねられる描画画面が移動する操作を引きずり操作といい、当該操作を行うモードを引きずりモードと呼ぶ。
【００９６】
また例えば、ユーザが表示面にタッチし移動した距離（図１５におけるスライド距離Ｘ０）をオフセットとして、第２描画画面の画面端が位置する重なり開始位置に設定し、ユーザが表示面にタッチする操作を終了すると同時に、タッチし移動する前の、元の重なり位置に戻す。当該操作のように、所定のタッチ操作（例えば、表示面上のある方向へ所定の速度以下で指を動かす）に追随して上に重ねられる描画画面を移動させ、タッチ操作の終了と同時に元の重なり位置まで戻す操作をシャッター操作といい、当該操作を行うモードをシャッターモードと呼ぶ。シャッター操作と引きずり操作とは、例えば、表示面にタッチする指の本数で区別することもできる。
【００９７】
また例えば、ユーザが表示面にタッチしトランプを飛ばすような動作（はじくような動作）をした場合には、時間とともに増加する量（図１５におけるスライド距離Ｘ０が時間とともに増加する）をオフセットとして、第２描画画面の重なり開始位置を設定する。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【００９８】
次にステップＳＴ４２３において、重なり位置、具体的には重なり開始位置に従って、第２描画画面を重ねて描画する。例えば、表示面の右側へスライドアウトする場合には、第２描画画面の除去されていく左端が重なり開始位置に一致するように重ねて描画する。すなわち、重なり開始位置に一致させる第２描画画面の位置は、第２描画画面において画面左端からスライド距離Ｘ０だけオフセットされた位置である。
【００９９】
第１描画画面上から除去された部分（図１５におけるＰ１）は、表示面には表示しない。この状態においては、第２描画画面が重ならないスライド距離Ｘ０の幅の第１描画画面の第１描画オブジェクトと、第２描画画面右端から幅Ｄ１（第１描画画面と重なる幅）分の、第２描画画面の第２描画オブジェクト（図１５におけるＰ２）とが、表示面に表示されることになる。
【０１００】
上記のような合成描画画面の作成を順次行うことで、図１６に示す動作（カーテンスライドによるスライドアウト）が可能となる。図１６では、描画オブジェクトＡ、描画オブジェクトＢ、描画オブジェクトＣを描画した第１描画画面上に、描画オブジェクトａ、描画オブジェクトｂ、描画オブジェクトｃを描画した第２描画画面を重ねている。仮に、第１描画画面における第１注目点を描画オブジェクトＢ、第２描画画面における第２注目点を描画オブジェクトｂとする。
【０１０１】
図１６において、（１ａ）（２ａ）（３ａ）は、下側の第１描画画面と上側の第２描画画面とを、側面方向から見た模式図であり、（１ｂ）（２ｂ）（３ｂ）は、第１描画画面と第２描画画面とを上面方向から見た模式図である。
【０１０２】
ユーザの指で入力兼表示部１にタッチし、図における右方向に移動させていく（引きずり操作）。そうすると、上側の第２描画画面の重なり開始位置が順次更新され（１ａ→２ａ→３ａ、もしくは、１ｂ→２ｂ→３ｂ）、第２描画画面が表示位置を維持しながら連続的に、カーテンを引くようにスライドされて表示される（カーテンスライド）。
【０１０３】
（１ａ）および（１ｂ）の状態では、第１描画画面と第２描画画面とが完全に重なり、描画オブジェクトＡ、描画オブジェクトＢ、描画オブジェクトＣが第２背景描画オブジェクトにマスクされている。なお、第２描画画面が第１描画画面に対して小さい画面であるときは、第２描画画面の大きさ分の第１描画画面上の領域に、第２描画画面が重なっていればよい。
【０１０４】
（２ａ）および（２ｂ）の状態では、描画オブジェクトｂおよび描画オブジェクトｃは表示面に表示されているが、一番左側の描画オブジェクトａが入力兼表示部１の表示面から除去され、表示されなくなる。一方で描画オブジェクトＡは表示されているが、描画オブジェクトＢは第２背景描画オブジェクトにマスクされ非表示となり、描画オブジェクトＣは第２背景描画オブジェクトにマスクされ非表示となる。またこのとき、上側の第２描画画面と下側の第１描画画面との相対位置関係は維持されている。すなわち、第１注目点と第２注目点とが、表示面上において常に一致している。
【０１０５】
（３ａ）および（３ｂ）の状態では、上側の第２描画画面がさらに右まで除去され、描画オブジェクトｂも入力兼表示部１の表示面から除去され、表示されなくなる。一方で描画オブジェクトＡおよび描画オブジェクトＢは表示されているが、描画オブジェクトＣは第２背景描画オブジェクトにマスクされ非表示となる。注目点が設定されている場合には、第２注目点である描画オブジェクトｂが除去された位置に第１注目点である描画オブジェクトＢが表示されることで、両描画オブジェクトの関係性の把握が容易となる（図１５も参照）。またこのとき、上側の第２描画画面と下側の第１描画画面との相対位置関係は維持されている。
【０１０６】
また、第２背景描画オブジェクトは、単色のクリーム色として説明したが、図１６において、描画オブジェクトａ付近はクリーム色で、描画オブジェクトｃ付近はピンク色になるようにグラデーションがかかっている場合は、（１ａ），（２ａ），（３ａ）の描画オブジェクトｃ付近の描画背景色は、同一のピンクに近い色である。
【０１０７】
以上に示したスライド方法は、上に重ねられる地図描画画面の表示位置を維持しながら連続的に表示を切り替え、その表示領域を変動させることで下の地図描画画面が見える範囲を変化させるものである。スライドの方法は上記の場合に限られず、変動が進む方向（タッチ位置を中心に広がる等）、表示切り替え時の上の地図描画画面の表示方法（点滅やフェード）等、様々なバリエーションが考えられる。
【０１０８】
また、以上に示したスライド方法は、ユーザが第２描画画面が表示されているエリアのどこをタッチ等して操作してもスライド操作できたが、スライド操作を受け付ける第２描画画面が表示されている範囲を限定しても良い。例えば、第２描画画面が表示されている境界近傍でスライドを示すジェスチャーをした場合に第２描画画面のスライドを受けるように構成しても良い。
【０１０９】
また、スライド操作を受け付ける、第２描画画面上のエリアをアイコン等で表示しても良い。この場合、引きずり操作、飛ばし操作、単なるタッチ操作による通常の操作遷移を並存して受けつけることが可能となり、使い勝手の良い装置を提供することができる。
【０１１０】
また、上記では、第２背景描画オブジェクトを描画画面と同一の大きさのクリーム色の矩形オブジェクトとしたが、矩形に拘るものではなく、台形や、楕円形、穴あきオブジェクトであってもよく、また色彩も単色ではなくグラデーションや模様があってもよく、ユーザにとってデザインの良い表示を提供できる。
【０１１１】
また、上記では、第１描画オブジェクトおよび第２描画オブジェクトはそれぞれ、第１情報格納部２、第２情報格納部３に格納されているとして説明したが、全体制御部４０２がソフトウェア処理により両方または一方の描画オブジェクトを生成してもよい。例えば、自車位置マークなどは全体制御部４０２がプログラムで作成してもよい。また、両方または一方の背景描画オブジェクトを全体制御部４０２がソフトウェア処理で生成してもよい。
【０１１２】
また、上記では、矩形の描画オブジェクトである背景描画オブジェクトを描画画面にレンダリングする方法を説明したが、背景描画オブジェクトの生成方法はこの方法に拘るものではなく、例えば描画画面そのものが背景描画オブジェクトに相当する背景色を生成する機能を有する場合は、全体制御部４０２がソフトウェア処理によって第１描画画面保持部４０４および第２描画画面保持部４０６の背景色を設定してよい。
【０１１３】
また、ハードウェア構成あるいはソフトウェア処理上、第１描画画面および第２描画画面の背景色の設定を画面合成部４０７が入力して生成する場合は、全体制御部４０２がソフトウェア処理によって、それぞれの背景色を設定してもよい。
【０１１４】
本発明でいう描画オブジェクトは、上記のようなソフトウェア処理によって最終的に入力兼表示部１に表示される表示物を含む概念である。
【０１１５】
次に、表示対応制御部４０９の動作について説明する。表示対応制御部４０９は、第１描画画面と第２描画画面とを完全に重ねたときに地図上における互いの位置が対応するように位置調整を行う。なお、当該動作は、図３のステップＳＴ１３にて行われるものとする。また、表示対応制御部４０９は、第１描画画面の第１描画オブジェクトおよび第２描画画面の第２描画オブジェクトが地図情報に関する描画オブジェクトである場合に動作する。すなわち、第１描画オブジェクトおよび第２描画オブジェクトは、少なくとも同一エリアの地図情報に関する描画オブジェクトを有している。
【０１１６】
まず、ユーザが所望する入力兼表示部１の描画画面表示に対する範囲の緯度・経度の情報である描画範囲情報が全体制御部４０２から表示対応制御部４０９に送信される。
【０１１７】
次に表示対応制御部４０９は、全体制御部４０２から受信した描画範囲情報に基づいて、第１情報描画部４０３に対して地図情報に関する第１描画オブジェクトを、第２情報描画部４０５に対して地図情報に関する第２描画オブジェクトを取り込むようそれぞれに指示をする。第１情報描画部４０３に取り込まれた第１描画オブジェクトと、第２情報描画部４０５に取り込まれた第２描画オブジェクトとは、同一エリアの地図情報に関する描画オブジェクトであり地図上の位置は互いに対応している。また、第２情報描画部４０５に取り込まれる第２描画オブジェクトは、外部情報アクセス部４１０が外部の情報源である第２情報格納部３から入力（取得）した描画オブジェクトである。
【０１１８】
なお、表示対応制御部４０９は、基本的には第１描画オブジェクトおよび第２描画オブジェクトに含まれる緯度・経度の情報に基づいて、第１描画画面と第２描画画面との位置調整（描画範囲における位置調整）を行うが、第１描画オブジェクトおよび第２描画オブジェクトに正確な緯度・経度の情報が含まれない場合には、第１描画オブジェクトおよび第２描画オブジェクトに含まれるＰＯＩ（Ｐｏｉｎｔ  Ｏｆ  Ｉｎｔｅｒｅｓｔ）情報に基づいて、第１描画画面と第２描画画面との位置調整を行うようにしてもよい。
【０１１９】
以下では、第１描画画面と第２描画画面との位置調整を、ＰＯＩ情報を用いて行う場合の動作の一例について、図１７を参照して説明する。
【０１２０】
まずステップＳＴ５０１において、第１情報描画部４０３で形成した第１描画画面に含まれるＰＯＩ（すなわち、第１描画オブジェクトに含まれるＰＯＩ）のリストＬ１を作成する。
【０１２１】
次にステップＳＴ５０２において、第２情報描画部４０５で形成した第２描画画面に含まれるＰＯＩ（すなわち、第２描画オブジェクトに含まれるＰＯＩ）のリストＬ２を作成する。
【０１２２】
次にステップＳＴ５０３において、各リストＬ１，Ｌ２において互いに対応するＰＯＩを２つ求める。ここで、第１描画画面に含まれるＰＯＩをＡ１，Ｂ１とし、当該Ａ１，Ｂ１に対応する第２描画画面に含まれるＰＯＩをＡ２，Ｂ２とする。
【０１２３】
次にステップＳＴ５０４において、それぞれ互いに対応するＡ１，Ｂ１，Ａ２，Ｂ２がリストＬ１，Ｌ２にあるか否かの判断を行う。すなわち、リストＬ１，Ｌ２にて対応するＰＯＩが２つあるか否かの判断を行う。Ａ１，Ｂ１，Ａ２，Ｂ２がある場合はステップＳＴ５０５に進み、ない場合はステップＳＴ５０７に進む。
【０１２４】
ステップＳＴ５０５において、Ａ１とＢ１とを端点とする線分Ａ１Ｂ１と、Ａ２とＢ２とを端点とする線分Ａ２Ｂ２とから、第１描画画面を規準とした第２描画画面の相対方向Ｄ、相対縮尺Ｒを求める。
【０１２５】
次にステップＳＴ５０６において、ステップＳＴ５０５で求められた相対方向Ｄ、相対縮尺Ｒに基づいて、第１描画画面と第２描画画面との位置調整を行う。
【０１２６】
またステップＳＴ５０７では、第１描画画面と第２描画画面との位置調整を行わずに位置調整の処理を終了する。
【０１２７】
なお、上記では、表示対応制御部４０９は、第１情報描画部４０３と第２情報描画部４０５との両方に対して位置情報を含む描画オブジェクトを取得するよう指示したが、いずれか一方に対して位置情報に関する描画オブジェクトを取得させて、当該位置情報に他方の表示位置を合わせるように制御してもよい。
【０１２８】
このようにすることによって、第１描画画面と第２描画画面との位置合わせが正確に行われた合成描画画面が入力兼表示部１に表示される。
【０１２９】
以上のことから、複数の地図描画画面を表示する地図表示装置であって、この地図表示装置をオープンソース的に使う場合などに特に利点がある。すなわち、例えば第１描画オブジェクトおよび第２描画オブジェクトの少なくとも一方を、任意のあるいは所望の外部の情報源から取得する場合において、入力兼表示部１に表示された地図描画画面における描画オブジェクト間の関係性の把握を容易にすることが可能となる。
【０１３０】
図１８は、上記の利点を有する、本実施の形態１による地図表示装置の制御部の概念的な構成の他の一例を示す図である。
【０１３１】
図１８に示すように、制御部４では、外部情報アクセス部４１０が外部の情報源としてスマートフォン５（携帯情報通信端末）から情報を取得することを特徴としている。その他の構成および動作は、図２と同様であるためここでは説明を省略する。
【０１３２】
スマートフォン５は、地図に関連する情報を表示する地図関連情報表示機能を有している。また、外部情報アクセス部４１０は、スマートフォン５に表示される表示情報を第２描画オブジェクトとして入力している。入力された第２描画オブジェクトは、第２描画画面として形成される。なお、第２描画画面は、スマートフォン５の表示画面に表示されている状態そのものの画面であってもよい。
【０１３３】
図１９は、外部の情報源がスマートフォン５の場合における、第１描画画面および第２描画画面の表示例を示す図である。
【０１３４】
図１９（ａ）に示すように、第１描画画面は道路の平面地図、第２描画画面は経路案内地図であり、平面地図上に経路案内地図が重なって表示されている。また、図１９では、説明を分かりやすくするために第１背景描画オブジェクトと第２背景描画オブジェクトの色彩が異なるものとして図示しているが、これに拘るものではない。
【０１３５】
スマートフォン５は、経路探索機能を有しており、当該経路探索機能によって探索された経路案内地図を表示画面に表示させることができる。外部情報アクセス部４１０は、スマートフォン５の表示画面に表示された経路案内地図の情報を第２描画オブジェクトとしてスマートフォン５から入力する。第２情報描画部４０５は、外部情報アクセス部４１０が入力した第２描画オブジェクトを第２描画画面保持部４０６に描画する。また、表示対応制御部４０９は、第１描画画面（平面地図）と第２描画画面（経路案内地図）との位置調整を行っている。
【０１３６】
上記より、入力兼表示部１は、スマートフォン５の表示画面に表示された情報を表示することができる（図１９（ａ））。なお、スマートフォン５が有する経路探索機能としては、例えばスマートフォン５にインストールされた経路ナビゲーションを行うアプリケーションなどがある。
【０１３７】
なお、第２描画画面として表示される経路案内地図は、スライド可能としてもよい。この場合、例えば、ユーザは経路案内地図に指でタッチし、表示面上の指を移動させることで経路案内地図をスライドさせ（図１９（ｂ）〜（ｄ））、ボードスライドによるスライドアウトをすることにより、所望の範囲の平面地図の描画オブジェクトを表示させることができる。
【０１３８】
また、図２０に示すように、スマートフォン５の情報を表示する第２描画画面のサイズを第１描画画面のサイズより小さくしてもよい。
【０１３９】
図２０に示すように、第１描画画面は道路と自車位置とが表示された地図、第２描画画面は経路誘導時の右左折案内画面であり、第１描画画面上に第２描画画面が重なって表示されている。すなわち、第２描画画面が第１描画画面よりも小さい場合は、第１描画画面の所定範囲において第２描画画面の全体が重なって表示されている。なお、この場合、表示対応制御部４０９による第１描画画面と第２描画画面との位置調整は行われず、合成描画部４０７が合成描画画面を作成する際に、第２描画画面を第１描画画面上の所定の領域に重ねている。また、図２０では、説明を分かりやすくするために第１背景描画オブジェクトと第２背景描画オブジェクトの色彩が異なるものとして図示しているが、これに拘るものではない。
【０１４０】
スマートフォン５は、経路探索機能を有しており、当該経路探索機能によって探索された経路を、例えば文字や図形などで誘導する機能を有している。外部情報アクセス部４１０は、スマートフォン５の表示画面に表示された経路を誘導する情報を第２描画オブジェクトとしてスマートフォンから入力する。第２情報描画部４０５は、外部情報アクセス部４１０が入力した第２描画オブジェクトを第２描画画面保持部４０６に描画する。
【０１４１】
上記より、入力兼表示部１は、スマートフォン５の表示画面に表示された経路を誘導する情報を表示することができる。すなわち、地図表示装置が有する地図情報と、スマートフォン５が有する経路探索機能とによって、全体としてナビゲーション装置と同一の機能を有することができる。なお、スマートフォン５が有する経路探索機能としては、例えばスマートフォン５にインストールされた経路ナビゲーションを行うアプリケーションなどがある。なお、図２０に示す第２描画画面は、スライド可能としてもよい。
【０１４２】
また、図２０に示す例の他に、第１描画画面には地図を表示し、第２描画画面はスマートフォン５から取得した渋滞情報や公共交通機関の遅れなどを地図表示するようにしてもよい。この場合、例えば、第１描画画面に表示される鉄道線上における遅れの区間に対して、列車の遅れを示す赤線などで表示し、第２描画画面の背景を透明にするようにしてもよい。
【０１４３】
以上のことから、スマートフォン５に表示された情報を描画オブジェクトとして入力して表示することによって、ユーザは複数の地図描画画面における描画オブジェクト間の関係性の把握を容易にすることが可能となる。また、ユーザにとっては、普段使用しているスマートフォン５に表示された画面を地図表示装置に表示させることができるため、ユーザの使い勝手を良くすることができる。また、スマートフォン５に表示された画面をスライド可能とすることによって、ユーザの操作性を向上させることができる。
【０１４４】
図２１は、図１８の構成と同様の利点を有する、本実施の形態１による地図表示装置の制御部の概念的な構成の他の一例を示す図である。
【０１４５】
図２１に示すように、制御部４では、外部情報アクセス部４１０が外部の情報源として地図情報システム６（地図情報サーバ）からインターネットを介して情報を取得することを特徴としている。その他の構成および動作は、図２と同様であるためここでは説明を省略する。
【０１４６】
地図情報システム６は、地図情報に関する描画オブジェクトを有している。また、外部情報アクセス部４１０は、地図情報システム６からの描画オブジェクトを第２描画オブジェクトとして入力している。入力された第２描画オブジェクトは、第２描画画面として形成される。なお、地図情報システム６としては、地理情報システム（ＧＩＳ，Ｇｅｏｇｒａｐｈｉｃ  Ｉｎｆｏｒｍａｔｉｏｎ  Ｓｙｓｔｅｍ）などがあり、外部情報アクセス部４１０はこのようなシステムから地図情報に関する描画オブジェクトを取得する。
【０１４７】
図２２は、外部の情報源が地図情報システム６の場合における、第１描画画面および第２描画画面の表示例を示す図である。
【０１４８】
図２２に示すように、第１描画画面は一般道路を示す道路地図、第２描画画面は行政区画境界情報に関する描画オブジェクトを示す境界地図であり、一般道路の道路地図上に行政区画境界情報に関する描画オブジェクトの境界地図が重なって表示されている。また、図２２では、説明を分かりやすくするために第１背景描画オブジェクトと第２背景描画オブジェクトの色彩が異なるものとして図示しているが、これに拘るものではない。
【０１４９】
地図情報システム６には、行政区画境界情報に関する描画オブジェクトを有している。外部情報アクセス部４１０は、地図情報システム６が有する行政区画境界情報に関する描画オブジェクトを第２描画オブジェクトとして地図情報システム６から入力する。第２情報描画部４０５は、外部情報アクセス部４１０が入力した第２描画オブジェクトを第２描画画面保持部４０６に描画する。また、表示対応制御部４０９は、第１描画画面（平面地図）と第２描画画面（境界地図）との位置調整を行っている。
【０１５０】
上記より、入力兼表示部１は、地図情報システム６から入力した地図情報に関する描画オブジェクトを表示することができる。
【０１５１】
なお、第２描画画面として表示される境界地図は、スライド可能としてもよい。この場合、例えば、ユーザは境界地図に指でタッチし、表示面上の指を移動させることで境界地図をスライドさせ（図２２（ａ），（ｂ））、ボードスライドによるスライドアウトをすることにより、行政区画境界のない、所望の範囲の一般道路の道路地図の描画オブジェクトを表示させることができる。
【０１５２】
以上のことから、地図情報システム６が有する地図情報に関する描画オブジェクトを入力することによって、ユーザは複数の地図描画画面における描画オブジェクト間の関係性の把握を容易にすることが可能となる。また、地図情報システム６から詳細な地図情報に関する描画オブジェクトや、様々な地図情報に関する描画オブジェクトを取得することができるため、ユーザの使い勝手を良くすることができる。
【０１５３】
なお、本実施の形態１における外部情報アクセス部４１０は、１つの外部の情報源から情報に関する描画オブジェクトを取得するものとして説明したが、複数の情報源から情報に関する描画オブジェクトを取得するようにしてもよい。また、情報に関する描画オブジェクトのすべてを外部の情報源から取得するようにしてもよい。このとき、例えば外部の情報源として、一方をスマートフォンとして他方を地図情報システムとしてもよく、両方ともスマートフォンとしてもよい。また、一方は車両内の別の情報機器または車両内に別途設置された情報蓄積装置であってもよい。上記の取得する描画オブジェクトは地図情報に関する描画オブジェクトに限らず、映像や音楽などいかなる情報に関する描画オブジェクトであってもよい。
【０１５４】
また、入力兼表示部１は表示面を有し、第１描画画面の大きさは表示面の全体に対応し、第２描画画面の大きさは表示画面の全体または一部に対応するようにしてもよい。
【０１５５】
また、本実施の形態１において、図１４のステップＳＴ５０７では、第１描画画面と第２描画画面との位置調整を行わずに処理を終了したが、ユーザが第１描画画面と第２描画画面とのいずれかをスライドさせることによって手動で位置合わせを行うようにしてもよい。
【０１５６】
また、入力兼表示部１は、通常のタッチパネルに限らず、静電容量検出型のタッチパネルを用いて、指の近接および接触を検知可能な３次元タッチパネルであってもよい。３次元タッチパネルを用いることによって、ユーザによる多様なジェスチャー動作の検知が可能となり、ユーザにとって使い勝手の良いユーザインタフェースを実現することができる。
【０１５７】
上記の入力兼表示部１は、ユーザの入力情報を受け取る入力部と、受け取った入力情報や制御部４による動作制御に基づく地図描画画面を表示する表示部とが一体となった構成であるが、これらの機能を実現する構成が別々に備えられるものであってもよい。また、表示する情報は、地図描画画面における描画オブジェクトに限らず、ユーザの要望に応じた様々な情報を表示することが可能である。
【０１５８】
なお、本実施の形態１のようにタッチパネルを用い、ジェスチャー操作によって描画画面の重なりを変動させれば、操作が容易である。すなわち、従来の地図表示装置の制御は、タッチパネルに表示された操作アイコンをタッチすることや、機械的なスイッチやダイアル操作によって行われており、必ずしも使い勝手の良いユーザインタフェースではなかったが、本発明のように、いわゆるスマートフォン等と呼ばれる、タッチパネルを有する携帯端末に代表されているようなジェスチャー操作を用いることによって、使い勝手の良いユーザインタフェースを実現できる。
【０１５９】
よって、例えば車両に搭載された地図表示装置の操作を行う場合のような、操作時間に限りがある場合等に有効である。さらに、重なりの変動の自由度（移動方向や導入除去の際の効果等）が高く、ユーザの娯楽的な要素も含めた要求に応えることができる。
【０１６０】
また、タッチパネル等の操作に慣れたユーザが親しみやすい入力モードを提供できる。
【０１６１】
また、本実施の形態におけるスライド方法は例示であり、上記のスライド表示モードにおいて、スライド方法以外の方法による地図描画画面の更新が可能であってもよい。
【０１６２】
また、上に重ねられる地図とその下の地図とは、その縮尺が一致しなくともよい。また、上の地図描画画面および下の地図描画画面は、その描画画面の大きさが一致しなくともよい。なお描画画面は、表示面全体にかかる大きさである必要はない。
【０１６３】
第１描画画面および第２描画画面の例としては、平面地図と複数の縮尺が１描画画面内に含まれた平面地図、平面地図とスクロール用地図、平面の道路地図と建物を表示した３次元地図、平面地図と衛星写真地図、一般道路地図と高速道路地図、平面地図と等高線地図、平面地図と地名等の名称地図（文字情報に関する描画オブジェクトが、例えば透明な地図上の位置に対応して表示されるもの）、平面地図と経路探索表示地図、平面地図と走行可能距離地図（車両の所定時間内あるいは残り燃料、残りエネルギーでの走行可能距離を示す地図）等がある。なお、第１描画画面および第２描画画面に表示される描画オブジェクトは、互いに入れ替え可能である。
【０１６４】
なお、本発明は、その発明の範囲内において、実施の形態を適宜、変形、省略することが可能である。
【符号の説明】
【０１６５】
１  入力兼表示部、２  第１情報格納部、３  第２情報格納部、４  制御部、５  スマートホン、６  地図情報システム、４０１  入力解析部、４０２  全体制御部、４０３  第１情報描画部、４０４  第１描画画面保持部、４０５  第２情報描画部、４０６  第２描画画面保持部、４０７  合成描画部、４０８  合成描画画面保持部、４０９  表示対応制御部、４１０  外部情報アクセス部。
【図１】
2013105257.tif 000003
【図２】
2013105257.tif 000004
【図３】
2013105257.tif 000005
【図４】
2013105257.tif 000006
【図５】
2013105257.tif 000007
【図６】
2013105257.tif 000008
【図７】
2013105257.tif 000009
【図８】
2013105257.tif 000010
【図９】
2013105257.tif 000011
【図１０】
2013105257.tif 000012
【図１１】
2013105257.tif 000013
【図１２】
2013105257.tif 000014
【図１３】
2013105257.tif 000015
【図１４】
2013105257.tif 000016
【図１５】
2013105257.tif 000017
【図１６】
2013105257.tif 000018
【図１７】
2013105257.tif 000019
【図１８】
2013105257.tif 000020
【図１９】
2013105257.tif 000021
【図２０】
2013105257.tif 000022
【図２１】
2013105257.tif 000023
【図２２】
2013105257.tif 000024
【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
第１描画画面および第２描画画面を含む複数の描画画面を、少なくとも部分的に重ね表示可能な地図表示装置において、
前記第１描画画面は、第１描画オブジェクトを表示し、
前記第２描画画面は、第２描画オブジェクトを表示し、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部（１）に出力する制御部（４）と、
前記第２描画オブジェクトを外部の情報源から入力する外部入力部（４１０）と、
前記第１描画オブジェクトと前記第２描画オブジェクトとが、所定の関連性を有するように対応付ける制御を行う表示対応制御部（４０９）と、
を備え、
前記表示対応制御部（４０９）は、前記第１描画オブジェクトと第２描画オブジェクトとの位置合わせを制御し、
前記制御部（４）は、前記第１描画画面および前記第２描画画面の一方に対し他方をスライドさせることによって、前記第１描画画面および前記第２描画画面の重なり具合を連続的に変化させることを特徴とする、地図表示装置。
【請求項２】
第１描画画面および第２描画画面を含む複数の描画画面を、少なくとも部分的に重ね表示可能な地図表示装置において、
前記第１描画画面は、第１描画オブジェクトを表示し、
前記第２描画画面は、第２描画オブジェクトを表示し、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部（１）に出力する制御部（４）と、
前記第２描画オブジェクトを外部の情報源から入力する外部入力部（４１０）と、
前記第１描画オブジェクトと前記第２描画オブジェクトとが、所定の関連性を有するように対応付ける制御を行う表示対応制御部（４０９）と、
を備え、
前記第１描画オブジェクトおよび前記第２描画オブジェクトは、地図情報に関連する位置情報を有する描画オブジェクトであり、
前記表示対応制御部（４０９）は、前記位置情報に基づいて、前記第１描画オブジェクトと第２描画オブジェクトとの位置合わせを制御し、
前記制御部（４）は、前記第１描画画面および前記第２描画画面の一方に対し他方をスライドさせることによって、前記第１描画画面および前記第２描画画面の重なり具合を連続的に変化させることを特徴とする、地図表示装置。
【請求項３】
前記外部の情報源は、所定の情報を提供する情報提供サーバ（６）であり、
前記外部入力部（４１０）は、前記情報提供サーバ（６）から提供された前記所定の情報に関する描画オブジェクトを前記第２描画オブジェクトとして入力することを特徴とする、請求項１または２に記載の地図表示装置。
【請求項４】
前記外部の情報源は、所定の情報を表示する機能を有する携帯情報通信端末（５）であり、
前記外部入力部（４１０）は、前記携帯情報通信端末（５）に表示される表示情報に関する描画オブジェクトを前記第２描画オブジェクトとして入力することを特徴とする、請求項１または２に記載の地図表示装置。
【請求項５】
前記外部の情報源は、地図情報に関する描画オブジェクトを有する地図情報サーバ（６）であり、
前記外部入力部（４１０）は、前記地図情報に関する描画オブジェクトを前記第２描画オブジェクトとして前記地図情報サーバ（６）から入力することを特徴とする、請求項１または２に記載の地図表示装置。
【請求項６】
前記外部の情報源は、地図に関連する情報を表示する地図関連情報表示機能を有する携帯情報通信端末（５）であり、
前記外部入力部（４１０）は、前記携帯情報通信端末（５）に表示される表示情報に関する描画オブジェクトを前記第２描画オブジェクトとして入力することを特徴とする、請求項１または２に記載の地図表示装置。
【請求項７】
前記ユーザの操作はジェスチャー操作であり、
前記制御部（４）は、前記第１描画画面および前記第２描画画面の重なり部分では、前記第２描画オブジェクトが前記第１描画オブジェクトをマスクするよう制御するとともに、前記第１描画画面に対して前記第２描画画面をスライドさせることによって前記第１描画画面および前記第２描画画面の重なり具合を連続的に変化させた後、さらに前記入力部（１）で受け付けたユーザの操作入力に応じて、前記重なり具合が制御された前記第２描画オブジェクトの前記マスクの程度を制御することを特徴とする、請求項１から６のいずれか１項に記載の地図表示装置。
【請求項８】
前記ジェスチャー操作は、タッチ操作に追随して前記第２描画画面が移動する引きずり操作と、タッチ操作に追随して前記第２描画画面を移動させ当該タッチ操作の終了と同時に元の重なり位置まで戻すシャッター操作とを含み、
前記引きずり操作と前記シャッター操作とは、タッチ操作時のタッチ点数で区別されることを特徴とする、請求項７に記載の地図表示装置。
【請求項９】
前記入力部（１）は、３次元位置を認識するタッチパネルであることを特徴とする、請求項１から８のいずれか１項に記載の地図表示装置。
【請求項１０】
前記第１描画画面および前記第２描画画面は、同一エリアを表示することを特徴とする、請求項１から９のいずれか１項に記載の地図表示装置。
【請求項１１】
前記第１描画オブジェクトおよび前記第２描画オブジェクトの一方は、他方の地図上の位置に対応付けられたＰＯＩであることを特徴とする、請求項１から６のいずれか１項に記載の地図表示装置。
【請求項１２】
前記表示対応制御部（４０９）は、前記第１描画画面および前記第２描画画面の一方の縮尺が変更されると他方も連動して縮尺を変更するよう制御することを特徴とする、請求項２から６のいずれか１項に記載の地図表示装置。
【請求項１３】
前記第１描画オブジェクトは、前記地図情報に基づく地図であり、
前記第２描画オブジェクトは、前記地図情報に関連する動的な情報であることを特徴とする、請求項１から６のいずれか１項に記載の地図表示装置。
【請求項１４】
前記第１描画オブジェクトは、前記地図情報に基づく地図であり、
前記第２描画オブジェクトは、経路探索によって得られた経路に関する情報であることを特徴とする、請求項１から６のいずれか１項に記載の地図表示装置。
【請求項１５】
前記第２描画画面が前記第１描画画面より小さい場合、
前記第１描画画面の所定範囲において前記第２描画画面の全体が重なることを特徴とする、請求項１または２に記載の地図表示装置。
【請求項１６】
前記外部入力部（４１０）は、複数の前記外部の情報源から情報に関する描画オブジェクトを得ることが可能であることを特徴とする、請求項１または２に記載の地図表示装置。
【請求項１７】
前記表示部（１）は表示面を有し、
前記第１描画画面の大きさは前記表示面の全体に対応し、前記第２描画画面の大きさは前記表示画面の全体または一部に対応することを特徴とする、請求項１または２に記載の地図表示装置。
【請求項１８】
第１描画画面および第２描画画面を含む複数の描画画面を、少なくとも部分的に重ねて表示する地図表示方法において、
前記第１描画画面は、第１描画オブジェクトを表示し、
前記第２描画画面は、第２描画オブジェクトを表示し、
前記第１描画画面および前記第２描画画面の重なり部分では、前記第１描画オブジェクトおよび前記第２描画オブジェクトの一方が他方をマスクし、
前記第１描画画面および前記第２描画画面は、同じまたは異なる大きさであって、
（ａ）ユーザの描画画面表示に関する操作入力を受け付けるステップと、
（ｂ）前記第２描画オブジェクトを外部の情報源から入力するステップと、
（ｃ）前記複数の描画画面の描画画面表示を行うステップと、
（ｄ）前記ステップ（ｃ）に先立って、前記ステップ（ａ）で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクするステップと、
（ｅ）前記ステップ（ｄ）に先立って、前記第１描画オブジェクトと前記第２描画オブジェクトとが、所定の関連性を有するように対応付ける制御を行うステップと、
を備え、
前記ステップ（ｅ）は、前記第１描画オブジェクトと第２描画オブジェクトとの位置合わせを制御し、
前記ステップ（ｄ）は、前記第１描画画面および前記第２描画画面の一方に対し他方をスライドさせることによって、前記第１描画画面および前記第２描画画面の重なり具合を連続的に変化させることを特徴とする、地図表示方法。
【手続補正２】
【補正対象書類名】明細書
【補正対象項目名】０００９
【補正方法】変更
【補正の内容】
【０００９】
上記の問題を解決するために、本発明による地図表示装置は、第１描画画面および第２描画画面を含む複数の描画画面を、少なくとも部分的に重ね表示可能な地図表示装置において、第１描画画面は、第１描画オブジェクトを表示し、第２描画画面は、第２描画オブジェクトを表示し、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面および第２描画画面の重なり具合を制御し、第１描画画面および第２描画画面の重なり部分では、第１描画オブジェクトおおび第２描画オブジェクトの一方が他方をマスクして表示部（１）に出力する制御部（４）と、第２描画オブジェクトを外部の情報源から入力する外部入力部（４１０）と、第１描画オブジェクトと第２描画オブジェクトとが、所定の関連性を有するように対応付ける制御を行う表示対応制御部（４０９）とを備え、表示対応制御部（４０９）は、第１描画オブジェクトと第２描画オブジェクトとの位置合わせを制御し、制御部（４）は、第１描画画面および第２描画画面の一方に対し他方をスライドさせることによって、第１描画画面および第２描画画面の重なり具合を連続的に変化させることを特徴とする。
【手続補正３】
【補正対象書類名】明細書
【補正対象項目名】００１０
【補正方法】変更
【補正の内容】
【００１０】
また、本発明による地図表示方法は、第１描画画面および第２描画画面を含む複数の描画画面を、少なくとも部分的に重ねて表示する地図表示方法において、第１描画画面は、第１描画オブジェクトを表示し、第２描画画面は、第２描画オブジェクトを表示し、第１描画画面および第２描画画面は、同じまたは異なる大きさであって、（ａ）ユーザの描画画面表示に関する操作入力を受け付けるステップと、（ｂ）第１描画オブジェクトおよび第２描画オブジェクトの少なくとも一方を外部の情報源から入力するステップと、（ｃ）複数の描画画面の描画画面表示を行うステップと、（ｄ）ステップ（ｃ）に先立って、ステップ（ａ）で受け付けたユーザの操作入力に応じて、第１描画画面および第２画面の重なり具合を制御し、第１描画画面および第２描画画面の重なり部分では、第１描画オブジェクトおよび第２描画オブジェクトの一方が他方をマスクするステップと、（ｅ）ステップ（ｄ）に先立って、第１描画オブジェクトと第２描画オブジェクトとが、所定の関連性を有するように対応付ける制御を行うステップとを備え、ステップ（ｅ）は、第１描画オブジェクトと第２描画オブジェクトとの位置合わせを制御し、ステップ（ｄ）は、第１描画画面および第２描画画面の一方に対し他方をスライドさせることによって、第１描画画面および第２描画画面の重なり具合を連続的に変化させることを特徴とする。
【手続補正４】
【補正対象書類名】明細書
【補正対象項目名】００１１
【補正方法】変更
【補正の内容】
【００１１】
本発明によれば、第１描画画面および第２描画画面を含む複数の描画画面を、少なくとも部分的に重ね表示可能な地図表示装置において、第１描画画面は、第１描画オブジェクトを表示し、第２描画画面は、第２描画オブジェクトを表示し、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面および第２描画画面の重なり具合を制御し、第１描画画面および第２描画画面の重なり部分では、第１描画オブジェクトおおび第２描画オブジェクトの一方が他方をマスクして表示部（１）に出力する制御部（４）と、第２描画オブジェクトを外部の情報源から入力する外部入力部（４１０）と、第１描画オブジェクトと第２描画オブジェクトとが、所定の関連性を有するように対応付ける制御を行う表示対応制御部（４０９）とを備え、表示対応制御部（４０９）は、第１描画オブジェクトと第２描画オブジェクトとの位置合わせを制御し、制御部（４）は、第１描画画面および第２描画画面の一方に対し他方をスライドさせることによって、第１描画画面および第２描画画面の重なり具合を連続的に変化させるため、少なくとも１つの地図情報に関する描画オブジェクトを外部から取得し、複数の地図描画画面を表示する場合において、地図描画画面における描画オブジェクト間の関係性の把握を容易にすることを可能とする。
【手続補正５】
【補正対象書類名】明細書
【補正対象項目名】００１２
【補正方法】変更
【補正の内容】
【００１２】
また、本発明によれば、第１描画画面および第２描画画面を含む複数の描画画面を、少なくとも部分的に重ねて表示する地図表示方法において、第１描画画面は、第１描画オブジェクトを表示し、第２描画画面は、第２描画オブジェクトを表示し、第１描画画面および第２描画画面は、同じまたは異なる大きさであって、（ａ）ユーザの描画画面表示に関する操作入力を受け付けるステップと、（ｂ）第１描画オブジェクトおよび第２描画オブジェクトの少なくとも一方を外部の情報源から入力するステップと、（ｃ）複数の描画画面の描画画面表示を行うステップと、（ｄ）ステップ（ｃ）に先立って、ステップ（ａ）で受け付けたユーザの操作入力に応じて、第１描画画面および第２画面の重なり具合を制御し、第１描画画面および第２描画画面の重なり部分では、第１描画オブジェクトおよび第２描画オブジェクトの一方が他方をマスクするステップと、（ｅ）ステップ（ｄ）に先立って、第１描画オブジェクトと第２描画オブジェクトとが、所定の関連性を有するように対応付ける制御を行うステップとを備え、ステップ（ｅ）は、第１描画オブジェクトと第２描画オブジェクトとの位置合わせを制御し、ステップ（ｄ）は、第１描画画面および第２描画画面の一方に対し他方をスライドさせることによって、第１描画画面および第２描画画面の重なり具合を連続的に変化させるため、少なくとも１つの地図情報に関する描画オブジェクトを外部から取得し、複数の地図描画画面を表示する場合において、地図描画画面における描画オブジェクト間の関係性の把握を容易にすることを可能とする。
【手続補正６】
【補正対象書類名】明細書
【補正対象項目名】００６３
【補正方法】変更
【補正の内容】
【００６３】
飛ばしモードでは、例えば次の条件や組み合わせで飛ばし操作を判断する。（ａ）タッチパネルにタッチした後、表示面上のある方向へ所定の速度以上で指をすばやく動かした場合、（ｂ）タッチパネルを押した後、表示面上のある方向へ予め定められた所定の速度以上で、押圧を下げて指をすばやく動かす場合、（ｃ）タッチパネルにタッチした後、表示面上のある方向へ予め定められた所定の速度以上で指をすばやく動かし、指をタッチパネルからやや離す場合である（ただし、この場合には、３次元位置を認識するタッチパネルが必要である）。
【国際調査報告】
2013105257.tif 000025
2013105257.tif 000026
2013105257.tif 000027
2013105257.tif 000028